(57)【要約】  消費電力を効率的に低減することができる携帯電話機を提供することを目的とする。  表示筐体が横長状態から縦長状態に回転されたことを回転位置検知部が検知した場合、そのとき駆動電圧供給部３３によりテレビ放送受信部に駆動電圧が供給されており、かつ、着信処理部３１が着信処理を行っていれば、応答部３２がその呼出しに応答して通話状態を確立させるとともに、駆動電圧制御部３５が駆動電圧供給部３３による駆動電圧の供給を停止させる。これにより、テレビ放送を視聴しているときに相手方電話機から呼出しがあった場合に、表示筐体を回転させるだけで呼出しに応答し、かつ、自動的にテレビ放送受信部への駆動電圧の供給を停止させることができるので、操作の煩わしさを低減しつつ、消費電力を効率的に低減することができる。
2007111111.tif 000002
【特許請求の範囲】
【請求項１】
筐体面に長方形の表示画面が形成された表示筐体と、
上記表示画面の長手方向の一端側における上記表示筐体内に配置され、上記筐体面にユーザが耳を当てた状態で使用される音声出力手段と、
上記表示画面が縦長状態及び横長状態となるように、上記表示筐体を上記表示画面に水平な面内で回転可能に保持する保持手段と、
ユーザによる上記表示筐体の回転操作を検出する回転操作検出手段と、
テレビ放送波を受信するテレビ放送受信手段と、
上記テレビ放送受信手段に駆動電圧を供給する駆動電圧供給手段と、
受信したテレビ放送波に基づいて生成され、上記回転操作に応じて回転させたテレビ画像を上記表示画面に表示させるテレビ画像表示手段と、
テレビ画像を表示している上記表示画面を横長状態から縦長状態へ遷移させる回転操作に基づいて、上記駆動電圧供給手段による駆動電圧の供給を停止させる駆動電圧供給停止手段とを備えたことを特徴とする携帯電話機。
【請求項２】
呼出信号及び応答信号の送受信を行う無線通信手段と、
上記呼出信号に対する応答可能期間中に、テレビ画像を表示している上記表示画面を横長状態から縦長状態へ遷移させる回転操作に基づいて、応答信号を生成して通話状態を確立させる着信応答手段とを備え、
上記駆動電圧供給停止手段は、上記呼出信号に対する応答可能期間中に、テレビ画像を表示している上記表示画面を横長状態から縦長状態へ遷移させる回転操作に基づいて、上記駆動電圧供給手段による駆動電圧の供給を停止させることを特徴とする請求項１に記載の携帯電話機。
【請求項３】
上記テレビ画像表示手段は、上記呼出信号に対する応答可能期間でないときに、テレビ画像を表示している上記表示画面を横長状態から縦長状態へ遷移させる回転操作に基づいて、上記表示画面に対するテレビ画像の表示を９０°回転させる第１画像回転手段を有することを特徴とする請求項２に記載の携帯電話機。
【請求項４】
上記テレビ画像表示手段は、縦長状態とされた上記表示画面に、テレビ画像とともに、テレビ放送波からそのテレビ画像に対応する文字情報を抽出して表示させる文字情報表示手段を有することを特徴とする請求項３に記載の携帯電話機。
【請求項５】
上記テレビ放送受信手段に駆動電圧が供給されていないときに、上記表示画面を縦長状態から横長状態へ遷移させる回転操作に基づいて、上記駆動電圧供給手段による駆動電圧の供給を開始させる駆動電圧供給開始手段を備えたことを特徴とする請求項１から４のいずれかに記載の携帯電話機。
【請求項６】
上記テレビ画像表示手段は、上記テレビ放送受信手段に駆動電圧が供給されているときに、テレビ画像を表示している上記表示画面を縦長状態から横長状態へ遷移させる回転操作に基づいて、上記表示画面に対するテレビ画像の表示を９０°回転させる第２画像回転手段を有することを特徴とする請求項５に記載の携帯電話機。
【発明の詳細な説明】
【技術分野】
【０００１】
本発明は、携帯電話機に係り、さらに詳しくは、テレビ放送を視聴することができる携帯電話機の改良に関する。
【背景技術】
【０００２】
表示画面が形成された表示筐体と、多数の操作キーが配置された操作筐体とを備え、表示筐体が表示画面に水平な面内で操作筐体により回転可能に保持された携帯電話機が知られている（例えば、特許文献１，２）。この種の携帯電話機では、例えば、表示画面が長方形形状に形成されており、操作筐体に対して表示筐体を回転させることにより、表示画面の長手方向を上下方向として表示を行う縦長状態と、表示画面の短手方向を上下方向として表示を行う横長状態とに切り替えて使用することができるようになっている。【０００３】
この種の携帯電話機の中には、テレビ局から発信されているテレビ放送波を受信するためのアンテナを備え、テレビ放送波に基づいて表示画面にテレビ画像を表示するとともに、そのテレビ画像に対応するテレビ音声を出力することにより、テレビ放送を視聴することができるようになっているものがある。通常、テレビ画像は横長のアスペクト比を有しているので、表示画面を横長状態とすることによりテレビ画像を良好に表示させることができる。【０００４】
一方、相手方電話機からの呼出しに応答して通話を行う場合には、携帯電話機は表示画面を縦長状態として使用される。通常の携帯電話機は、操作筐体の長手方向の一端部に、音声を入力するための送話用マイクロホンを備え、表示筐体の長手方向の一端部に、相手方電話機からの音声を出力するための受話用レシーバを備えている。したがって、表示画面を縦長状態として携帯電話機に顔を近づけることにより、送話用マイクロホンに口を近づけるとともに、受話用レシーバに耳を近づけて、良好に通話を行うことができるようになっている。
【特許文献１】特開２００４−２１５１８０号公報
【特許文献２】特開２００５−１２３４４号公報
【発明の開示】
【発明が解決しようとする課題】
【０００５】
このように、通話を良好に行うことができる表示画面の向きと、テレビ放送を良好に視聴することができる表示画面の向きとは、一般的に異なっている。したがって、横長状態でテレビ放送を視聴しているときに相手方電話機から呼出しがあった場合には、表示筐体を回転させて縦長状態とする操作及び呼出しに応答するための操作を行わなければならず、逆に、テレビ放送を視聴しようとする場合には、表示筐体を縦長状態から回転させて横長状態とする操作及びテレビ放送の視聴を開始させるための操作を行わなければならず、いずれの場合も操作が煩わしい。【０００６】
また、テレビ放送の視聴のために携帯電話機が消費する電力は比較的高いので、相手方電話機との間で通話を行っているときのように、必要なとき以外はテレビ画像の表示等を停止させることが好ましい。【０００７】
本発明は、上記の事情に鑑みてなされたものであり、消費電力を効率的に低減することができる携帯電話機を提供することを目的とする。また、本発明は、操作の煩わしさが低減された携帯電話機を提供することを目的とする。
【課題を解決するための手段】
【０００８】
第１の本発明による携帯電話機は、筐体面に長方形の表示画面が形成された表示筐体と、上記表示画面の長手方向の一端側における上記表示筐体内に配置され、上記筐体面にユーザが耳を当てた状態で使用される音声出力手段と、上記表示画面が縦長状態及び横長状態となるように、上記表示筐体を上記表示画面に水平な面内で回転可能に保持する保持手段と、ユーザによる上記表示筐体の回転操作を検出する回転操作検出手段と、テレビ放送波を受信するテレビ放送受信手段と、上記テレビ放送受信手段に駆動電圧を供給する駆動電圧供給手段と、受信したテレビ放送波に基づいて生成され、上記回転操作に応じて回転させたテレビ画像を上記表示画面に表示させるテレビ画像表示手段と、テレビ画像を表示している上記表示画面を横長状態から縦長状態へ遷移させる回転操作に基づいて、上記駆動電圧供給手段による駆動電圧の供給を停止させる駆動電圧供給停止手段とを備えて構成される。【０００９】
このような構成により、表示筐体が横長状態で表示画面にテレビ画像を表示した状態で、表示筐体を横長状態から縦長状態まで回転させるだけで、テレビ放送受信手段への駆動電圧の供給を停止させることができる。したがって、テレビ放送を視聴しているときに相手方電話機から呼出しがあり、その呼出しに応答する場合などには、表示筐体を通話に適した縦長状態へ回転させるだけで、自動的にテレビ放送受信手段への駆動電圧の供給を停止させることができるので、操作の煩わしさを低減しつつ、消費電力を効率的に低減することができる。【００１０】
第２の本発明による携帯電話機は、呼出信号及び応答信号の送受信を行う無線通信手段と、上記呼出信号に対する応答可能期間中に、テレビ画像を表示している上記表示画面を横長状態から縦長状態へ遷移させる回転操作に基づいて、応答信号を生成して通話状態を確立させる着信応答手段とを備え、上記駆動電圧供給停止手段は、上記呼出信号に対する応答可能期間中に、テレビ画像を表示している上記表示画面を横長状態から縦長状態へ遷移させる回転操作に基づいて、上記駆動電圧供給手段による駆動電圧の供給を停止させるように構成される。【００１１】
このような構成により、表示筐体が横長状態で表示画面にテレビ画像を表示した状態で、呼出信号を受信したときに、表示筐体を横長状態から縦長状態まで回転させるだけで呼出しに応答するとともに、テレビ放送受信手段への駆動電圧の供給を停止させることができる。したがって、テレビ放送を視聴しているときに相手方電話機から呼出しがあった場合に、表示筐体を回転させるだけで呼出しに応答し、かつ、自動的にテレビ放送受信手段への駆動電圧の供給を停止させることができるので、操作の煩わしさをさらに低減することができる。【００１２】
第３の本発明による携帯電話機において、上記テレビ画像表示手段は、上記呼出信号に対する応答可能期間でないときに、テレビ画像を表示している上記表示画面を横長状態から縦長状態へ遷移させる回転操作に基づいて、上記表示画面に対するテレビ画像の表示を９０°回転させる第１画像回転手段を有するように構成される。【００１３】
このような構成により、呼出信号に対する応答可能期間でないときに、表示画面にテレビ画像を表示した状態で表示筐体を横長状態から縦長状態まで回転させた場合には、表示画面に対するテレビ画像の表示を９０°回転させることにより、テレビ画像の方向を回転位置に合わせることができる。【００１４】
第４の本発明による携帯電話機において、上記テレビ画像表示手段は、縦長状態とされた上記表示画面に、テレビ画像とともに、テレビ放送波からそのテレビ画像に対応する文字情報を抽出して表示させる文字情報表示手段を有するように構成される。【００１５】
このような構成により、表示筐体が縦長状態まで回転された状態で、表示画面の縦横の長さの比とテレビ画像のアスペクト比との違いから表示画面上に生じる空きスペースに、そのテレビ画像に対応する字幕などの文字情報を表示させることができる。したがって、文字情報の表示を望む場合には、表示筐体を縦長状態まで回転させるだけで文字情報を表示させることができるので、利便性を向上させることができる。【００１６】
第５の本発明による携帯電話機は、上記テレビ放送受信手段に駆動電圧が供給されていないときに、上記表示画面を縦長状態から横長状態へ遷移させる回転操作に基づいて、上記駆動電圧供給手段による駆動電圧の供給を開始させる駆動電圧供給開始手段を備えて構成される。【００１７】
このような構成により、表示筐体を縦長状態から横長状態まで回転させるだけで、テレビ放送受信手段への駆動電圧の供給を開始させ、表示画面にテレビ画像を自動的に表示させることができる。したがって、テレビ放送を視聴しようとしたときに、表示筐体を回転させる操作及びテレビ放送受信手段への駆動電圧の供給を開始させるための操作を両方行う必要がなく、操作の煩わしさを低減することができる。【００１８】
第６の本発明による携帯電話機において、上記テレビ画像表示手段は、上記テレビ放送受信手段に駆動電圧が供給されているときに、テレビ画像を表示している上記表示画面を縦長状態から横長状態へ遷移させる回転操作に基づいて、上記表示画面に対するテレビ画像の表示を９０°回転させる第２画像回転手段を有するように構成される。【００１９】
このような構成により、表示画面にテレビ画像を表示した状態で表示筐体を縦長状態から横長状態まで回転させた場合には、表示画面に対するテレビ画像の表示を９０°回転させることにより、テレビ画像の方向を回転位置に合わせることができる。
【発明の効果】
【００２０】
本発明によれば、表示筐体が横長状態で表示画面にテレビ画像を表示した状態で、表示筐体を横長状態から縦長状態まで回転させるだけで、テレビ放送受信手段への駆動電圧の供給を停止させることができる。これにより、テレビ放送を視聴しているときに相手方電話機から呼出しがあり、その呼出しに応答する場合などには、操作の煩わしさを低減しつつ、消費電力を効率的に低減することができる。
【発明を実施するための最良の形態】
【００２１】
図１は、本発明の実施の形態による携帯電話機１の一例を示した斜視図であり、筐体を閉じた状態を示している。図２は、図１の携帯電話機１の筐体を展開した状態を示した斜視図である。この携帯電話機１は、いわゆる折り畳み式の携帯電話機であり、それぞれ長方形形状に形成された表示筐体２及び操作筐体５がヒンジ部３を介して連結され、表示筐体２及び操作筐体５の筐体面を対向させた状態で折り畳むことができるようになっている。【００２２】
表示筐体２には、折り畳んだ状態で操作筐体５に対向する内面にメイン表示部２ａ及び受話用レシーバ８が配置されている。メイン表示部２ａは、長方形形状に形成されており、その長手方向が表示筐体２の長手方向と一致するように配置されている。受話用レシーバ８は、表示筐体２におけるヒンジ部３と反対側の端部に配置されている。【００２３】
操作筐体５には、折り畳んだ状態で表示筐体２に対向する内面に多数の操作キー４及び送話用マイクロホン７が配置されている。送話用マイクロホン７は、操作筐体５におけるヒンジ部３と反対側の端部に配置されている。【００２４】
このような折り畳み式携帯電話機１は、コンパクトに折り畳んだ状態で携帯することができ、筐体を展開させれば、メイン表示部２ａの表示を見ながら、操作キー４を押下操作することができる。また、この携帯電話機１は、図２に示すようにメイン表示部２ａを縦長状態として表示筐体２の内面に耳を当てることにより、送話用マイクロホン７に口を近づけるとともに、受話用レシーバ８に耳を近づけて、良好に通話を行うことができるようになっている。【００２５】
すなわち、より品質のよい音声を送受信するためには、送話用マイクロホン７に口を近づけるとともに、受話用レシーバ８に耳を近づけるのが好ましく、そのためには、送話用マイクロホン７と受話用レシーバ８の距離をある程度確保する必要がある。本実施の形態の携帯電話機１では、送話用マイクロホン７を操作筐体５におけるヒンジ部３と反対側の端部に配置し、受話用レシーバ８を表示筐体２におけるヒンジ部３と反対側の端部に配置することにより、縦長状態としたときの送話用マイクロホン７と受話用レシーバ８の距離を確保することができるようになっている。【００２６】
ヒンジ部３は、操作筐体５に対して回動可能に連結される連結部３ａと、表示筐体２の外面に対向して表示筐体２を保持する保持部３ｂとが一体的に形成された構成を有している。連結部３ａは、保持部３ｂの一端部において互いに一定間隔を隔てて突出するように形成された２つの円筒体からなる。操作筐体５の内面における長手方向の一端部には、短手方向に延びるように円筒体６が形成されており、この円筒体６が２つの連結部３ａの間に同一軸線上に配置され、互いに回転可能に取り付けられることにより、ヒンジ部３が操作筐体５に対して回動可能に連結されている。【００２７】
保持部３ｂは、矩形の板状に形成され、メイン表示部２ａを縦長状態としたときに、表示筐体２の外面におけるヒンジ部３側の半分程度に対向する。保持部３ｂは、表示筐体２をメイン表示部２ａに水平な面内で回転可能に保持しており、表示筐体２は、操作筐体５に対する傾斜角度を保った状態で回転できるようになっている。保持部３ｂの表示筐体２と反対側の外面には、主に筐体を閉じた状態で表示を行うためのサブ表示部１１が配置されている。【００２８】
図３は、図２の携帯電話機１の表示筐体２を回転させた状態を示した斜視図であり、正面から見て図２の状態から時計回りに約４５°回転させた状態を示している。図４は、図２の携帯電話機１の表示筐体２を回転させた状態を示した斜視図であり、正面から見て図２の状態から時計回りに９０°回転させた状態を示している。ユーザは、操作筐体５を把持した状態で、表示筐体２をメイン表示部２ａに水平な面内において９０°の角度範囲内で回転させることにより、図２に示した縦長状態と図４に示した横長状態との間で表示筐体２を回転させることができる。【００２９】
この携帯電話機１では、テレビ放送を視聴することができるようになっており、図２に示す状態から表示筐体２を回転させ、図３の状態を経て、図４に示すようにメイン表示部２ａを横長状態とすることにより、テレビ画像のアスペクト比に合致した横長状態のメイン表示部２ａにテレビ画像を良好に表示させることができる。メイン表示部２ａは、長辺と短辺の比が１６：９となる長方形形状に形成されており、この比は、一般的なテレビ放送に用いられるテレビ画像のアスペクト比と一致している。【００３０】
図２の状態から表示筐体２を時計回りに回転させる場合、図３に示した状態となるまでは、ヒンジ部３の保持部３ｂ内に備えられた付勢手段により、表示筐体２に対して反時計回りに付勢力が作用するようになっている。したがって、図２の状態では、表示筐体２に対して反時計回りに作用する付勢力によって、外力が作用しない限り表示筐体２が図２の状態のまま維持されるようになっている。【００３１】
一方、図３の状態を超えて表示筐体２をさらに時計回りに回転させると、表示筐体２に作用する付勢力が時計回りに切り替わり、図４に示した状態で表示筐体２が係止される。これにより、外力が作用しない限り表示筐体２が図４の状態のまま維持されるようになっている。【００３２】
本実施の形態では、表示筐体２は一定位置に固定された回転軸を中心に回転するのではなく、表示筐体２の回転に伴って移動する回転軸を中心に回転するようになっている。これにより、図２に示すように長手方向の一端部が操作筐体５に近接した縦長状態の表示筐体２を９０°回転させても、図４に示すように表示筐体２の短手方向の一端部が操作筐体５に近接し、コンパクトに横長状態とされたメイン表示部２ａにテレビ画面を表示させてテレビ放送を視聴することができるようになっている。【００３３】
また、操作筐体５を把持した状態のまま表示筐体２を縦長状態から横長状態に回転させることにより、携帯電話機１を持ち替えることなくテレビ放送を視聴することができる。このとき、表示筐体２に作用する付勢力により、表示筐体２を縦長状態と横長状態との間でスムーズに切り替えることができるようになっている。【００３４】
図５〜図７は、図２〜図４の状態における携帯電話機１の背面図であり、それぞれ保持部３ｂ内の構造を透視した状態で示している。また、図８〜図１０は、図２〜図４の状態におけるヒンジ部３の正面図である。図５及び図８は、図２に示す縦長状態に対応し、図６及び図９は、表示筐体２を約４５°回転させた図３に示す状態に対応し、図７及び図１０は、図４に示す横長状態に対応している。【００３５】
保持部３ｂ内には、矩形形状の保持板１６が配置されており、この保持板１６に表示筐体２が回転可能に保持されている。保持板１６には、横方向に円弧状に延びる円弧孔１２と、縦方向に直線状に延びる直線孔１４とが形成されている。円弧孔１２の中央部の頂点は、直線孔１４の一端部に近接しており、この頂点における法線方向に直線孔１４が延びている。【００３６】
円弧孔１２及び直線孔１４には、それぞれ表示筐体２の背面側に形成された摺動軸１３及び回転軸１５が回転可能に係合している。摺動軸１３及び回転軸１５は、表示筐体２の背面に固定された軸保持部材１８に一体的に形成されており、それぞれ表示筐体２の中心に対してずれた位置に互いに一定間隔を隔てて配置されている。この軸保持部材１８は、保持部３ｂの前面に形成された開口３ｄを介して、保持部３ｂ内の保持板１６に係合している。【００３７】
軸保持部材１８は、付勢手段としてのばねの一例である捩りコイルばね２０を介して、保持板１６に固定されている。捩りコイルばね２０は、その一端部が軸保持部材１８の摺動軸１３に結合されるとともに、他端部が保持板１６に形成された取付軸１９に結合されている。取付軸１９は、円弧孔１２の頂点に対する法線上に回転可能に配置されている。表示筐体２には、ヒンジ部３側から延びるフレキシブル基板２１の端部が回転軸１５の近傍において取り付けられており、このフレキシブル基板２１を介して、表示筐体２と操作筐体５とが電気的に接続されている。【００３８】
図５及び図８に示す縦長状態では、回転軸１５が直線孔１４の下端に当接し、摺動軸１３が円弧孔１２の一端に当接している。この状態では、捩りコイルばね２０により摺動軸１３が円弧孔１２の一端側に付勢されており、外力が作用しない限り表示筐体２がこの状態のまま維持されるようになっている。【００３９】
この状態から表示筐体２をヒンジ部３に対して回転させると、回転軸１５が直線孔１４に沿って上方へ移動するとともに、摺動軸１３が円弧孔１２に沿って他端側へ移動する。このとき、捩りコイルばね２０も取付軸１９を中心に回転し、その一端部と他端部とが互いに近接するように縮められる。そして、図６及び図９に示すように表示筐体２が約４５°回転された状態では、回転軸１５が直線孔１４の上端に当接し、摺動軸１３が円弧孔１２の頂点に到達する。【００４０】
この状態では、捩りコイルばね２０の一端部と他端部とが最も近接した状態となり、さらに表示筐体２が回転されると、摺動軸１３及び取付軸１９の左右の位置が逆転し、捩りコイルばね２０の一端部と他端部とが再び離れていく。したがって、表示筐体２は、図６及び図９に示す回転位置を超えて回転されると、その後は捩りコイルばね２０の付勢力によってさらに回転され、図７及び図１０に示すような横長状態となる。【００４１】
表示筐体２が横長状態のときには、回転軸１５が直線孔１４の下端に当接し、摺動軸１３が円弧孔１２の他端に当接している。この状態では、捩りコイルばね２０により摺動軸１３が円弧孔１２の他端側に付勢されており、外力が作用しない限り表示筐体２がこの状態のまま維持されるようになっている。【００４２】
図１１は、この携帯電話機１の電気的構成の一例を示したブロック図である。この携帯電話機１は、上述したメイン表示部２ａ、サブ表示部１１、受話用レシーバ８、送話用マイクロホン７及び操作キー４に加えて、スピーカ９、外部入出力端子１０、通信部２３、テレビ放送受信部２４及び回転位置検知部２５を備えており、それらの動作が、プロセッサからなる制御部３０により制御されるようになっている。【００４３】
スピーカ９は、受話用レシーバ８から出力される場合よりも音声を増幅して出力することにより、表示筐体２から耳を離した状態で音声を聞くことができるようにするためのものである。また、外部出力端子１０にイヤホンマイクなどの外部入出力装置２６を接続すれば、その外部入出力装置２６を介して音声を入出力することができる。受話用レシーバ８、スピーカ９及び外部入出力端子１０は、それぞれ音声出力手段を構成している。【００４４】
ここで、受話用レシーバ８は、表示筐体２の内面にユーザが耳を当てた状態で使用されるのに対して、スピーカ９及び外部入出力端子１０は、表示筐体２の内面からユーザが耳を離した状態で使用される。したがって、メイン表示部２ａに対するテレビ画像などの表示は、スピーカ９や外部入出力端子１０を使用しているときには見ることができるが、受話用レシーバ８を使用しているときには見ることができない。【００４５】
スピーカ９を用いて相手方電話機との間で通話を行う場合には、相手方電話機からの音声が増幅されてスピーカ９から出力されるとともに、送話用マイクロホン７からの入力信号が増幅されることにより、携帯電話機１を把持することなく、いわゆるハンズフリーで通話を行うことができる。このとき、送話用マイクロホン７からの入力信号は、ハウリングを防止するためのキャンセル回路に入力されるようになっている。受話用レシーバ８による通常の通話とハンズフリーによる通話との切り替えは、操作キー４の操作により行うことができる。【００４６】
外部入出力端子１０には、外部入出力装置２６の接続端子を着脱することができるようになっており、接続端子の着脱に基づいて、受話用レシーバ８による通常の通話と外部入出力装置２６による通話とが切り替えられるようになっている。すなわち、外部入出力装置２６の接続端子を外部入出力端子１０に取り付けることにより、通常の通話から外部入出力装置２６による通話に切り替えることができ、外部入出力装置２６の接続端子を外部入出力端子１０から取り外すことにより、受話用レシーバ８による通常の通話に戻すことができる。【００４７】
通信部２３は、通信用アンテナ２３ａを介して基地局との間で電波の送受信を行うことにより、通話音の送受信を行っている。相手方電話機との間で通話状態が確立された状態では、ユーザの通話音に基づく音声信号が通信部２３から送信され、相手方電話機からの通話音に基づく音声信号が通信部２３で受信されることにより、通話音がリアルタイムで送受信される。【００４８】
テレビ放送受信部２４は、いわゆるテレビチューナであり、テレビ放送受信用アンテナ２４ａを介して、テレビ局から発信されているテレビ放送波を受信するためのものである。テレビ局から発信されているテレビ放送波には、アナログ放送に対応したアナログ放送波と、デジタル放送に対応したデジタル放送波とが含まれている。このテレビ放送受信部２４が受信するデジタル放送波は、一般のデジタルハイビジョン放送波の一定帯域に割り当てられた携帯電話機向けの１セグメント放送波であり、テレビ画像及びテレビ音声に加えて、そのテレビ画像に対応する字幕や関連する記事などの文字情報が含まれている。【００４９】
テレビ放送受信部２４で受信したテレビ放送波に基づいて、メイン表示部２ａにテレビ画像を表示するとともに、そのテレビ画像に対応するテレビ音声をスピーカ９又は外部入出力端子１０から出力することにより、テレビ放送を視聴することができる。また、テレビ放送波に含まれる文字情報を抽出してメイン表示部２ａに表示させることにより、テレビ画像とともに字幕などの文字情報を表示させることができる。【００５０】
回転位置検知部２５は、例えば機械的又は電気的なスイッチにより構成され、表示筐体２の回転位置を検知する。この回転位置検知部２５は、ユーザによる表示筐体２の回転操作を検出する回転操作検出手段である。【００５１】
図１２は、通信部２３及びテレビ放送受信部２４で信号を受信したときの動作について説明するためのブロック図である。本実施の形態において、制御部３０は、プログラム処理を実行することにより、着信処理部３１、応答部３２、駆動電圧供給部３３及びテレビ出力部３４として機能する。【００５２】
相手方電話機からの呼出信号が通信部２３で受信された場合には、着信処理部３１において、ユーザのオフフック操作による応答を可能にするための着信処理が行われる。着信処理中は、通常、相手方電話機から呼出し中である旨を報知するための着信音がスピーカ９から出力される。着信処理は、相手方電話機からの呼出しが中止されるまで、又はユーザによりオフフック操作が行われるまで継続される。ここで、オフフック操作には、ユーザが相手方電話機からの呼出しに対して応答するためのあらゆる操作が含まれるものとする。【００５３】
着信処理中に、ユーザがオフフック操作を行うことにより相手方電話機からの呼出しに応答した場合には、応答部３２が通信部２３から相手方電話機に応答信号を送信することにより通話状態が確立され、相手方電話機との間で通話音の送受信が可能になる。通話状態が確立された状態では、相手方電話機からの音声が、受話用レシーバ８、スピーカ９及び外部入出力端子１０に接続された外部入出力装置２６のいずれかから出力される。【００５４】
テレビ放送受信部２４においてテレビ放送波を受信しているときには、そのテレビ放送波に基づくテレビ画像、テレビ音声及び文字情報等を表す信号が、テレビ出力部３４に入力される。また、テレビ出力部３４には、応答部３２からの信号が入力されるようになっている。テレビ出力部３４には、駆動電圧制御部３５、テレビ画像表示部３６及びテレビ音声出力部３７が含まれている。【００５５】
駆動電圧制御部３５は、テレビ放送受信部２４に駆動電圧を供給する駆動電圧供給部３３に対して、駆動電圧の供給を制御するための信号を送信する。すなわち、駆動電圧制御部３５は、駆動電圧供給部３３による駆動電圧の供給を開始させるときには駆動電圧供給開始手段を構成し、駆動電圧供給部３３による駆動電圧の供給を停止させるときには駆動電圧供給停止手段を構成することとなる。【００５６】
駆動電圧供給部３３は、当該携帯電話機１に備えられた電源（図示せず）からテレビ放送受信部２４に駆動電圧を供給するためのものである。ここで、上記電源は、携帯電話機１に対して着脱可能に取り付けられた電池、例えば二次電池により構成されていてもよい。【００５７】
テレビ画像表示部３６は、テレビ放送波に基づくテレビ画像や文字情報をメイン表示部２ａに表示させるものであり、メイン表示部２ａに表示させる画像を回転させるための画像回転部３８と、テレビ放送波に含まれる文字情報を抽出してメイン表示部２ａに表示させるための文字情報表示部３９とが含まれる。テレビ音声出力部３７は、テレビ放送波に基づくテレビ音声をスピーカ９又は外部入出力端子１０に接続された外部入出力装置２６に出力する。【００５８】
図１３は、表示筐体２が縦長状態から横長状態に切り替えられたときに行われる横長状態切替処理の一例を示したフローチャートである。表示筐体２が回転されて、回転位置検知部２５が縦長状態から横長状態に切り替えられたことを検知した場合（ステップＳ１０１でＹｅｓ）、そのとき駆動電圧供給部３３によりテレビ放送受信部２４に駆動電圧が供給されていれば（ステップＳ１０２でＹｅｓ）、テレビ放送受信部２４で受信されるテレビ放送波に基づくテレビ画像の表示が画像回転部３８により９０°回転される（ステップＳ１０３）。これにより、横長状態とされたメイン表示部２ａの短手方向を上下方向としてテレビ画像が表示され、テレビ画像の方向を回転位置に合わせることができる。【００５９】
一方、表示筐体２が縦長状態から横長状態に切り替えられたときに、駆動電圧供給部３３によりテレビ放送受信部２４に駆動電圧が供給されていなければ（ステップＳ１０２でＮｏ）、駆動電圧制御部３５が駆動電圧供給部３３による駆動電圧の供給を開始させる（ステップＳ１０４）。これにより、テレビ放送受信部２４が駆動され、テレビ放送受信部２４で受信されるテレビ放送波に基づくテレビ画像やテレビ音声がテレビ出力部３４から出力される。【００６０】
このように、表示筐体２を縦長状態から横長状態まで回転させるだけで、テレビ放送受信部２４への駆動電圧の供給を開始させ、メイン表示部２ａにテレビ画像を自動的に表示させることができる。したがって、テレビ放送を視聴しようとしたときに、表示筐体２を回転させる操作及びテレビ放送受信部２４への駆動電圧の供給を開始させるための操作を両方行う必要がなく、操作の煩わしさを低減することができる。【００６１】
図１４は、表示筐体２が横長状態から縦長状態に切り替えられたときに行われる縦長状態切替処理の一例を示したフローチャートである。表示筐体２が回転されて、回転位置検知部２５が横長状態から縦長状態に切り替えられたことを検知した場合（ステップＳ２０１でＹｅｓ）、そのとき駆動電圧供給部３３によりテレビ放送受信部２４に駆動電圧が供給されており（ステップＳ２０２でＹｅｓ）、かつ、着信処理部３１が着信処理を行っているときであれば（ステップＳ２０３でＹｅｓ）、応答部３２がその呼出しに応答して通話状態を確立させる（ステップＳ２０４）。このとき、表示筐体２を横長状態から縦長状態に切り替える操作が、ユーザによるオフフック操作として作用することとなる。【００６２】
その後、応答部３２からの入力信号に基づいて、駆動電圧制御部３５が駆動電圧供給部３３による駆動電圧の供給を停止させる（ステップＳ２０５）。これにより、テレビ放送受信部２４の駆動が停止され、テレビ放送受信部２４で受信されるテレビ放送波に基づくテレビ画像やテレビ音声の出力が停止される。【００６３】
このように、表示筐体２が横長状態でメイン表示部２ａにテレビ画像を表示した状態で、着信処理が行われているときに、表示筐体２を横長状態から縦長状態まで回転させるだけで呼出しに応答するとともに、テレビ放送受信部２４への駆動電圧の供給を停止させることができる。したがって、テレビ放送を視聴しているときに相手方電話機から呼出しがあった場合に、表示筐体２を回転させるだけで呼出しに応答することができるので、表示筐体２を回転させる操作及び呼出しに応答するための操作を両方行う必要がなく、操作の煩わしさを低減することができる。【００６４】
また、表示筐体２を横長状態から縦長状態に回転させて呼出しに応答する場合、ユーザは通話のために表示筐体２の内面に耳を当てなければならず、メイン表示部２ａを見ることはできなくなるので、自動的にテレビ放送受信部２４への駆動電圧の供給を停止させ、テレビ画像やテレビ音声の出力を停止させることにより、消費電力を効率的に低減することができる。【００６５】
一方、表示筐体２が横長状態から縦長状態に切り替えられたときに、駆動電圧供給部３３によりテレビ放送受信部２４に駆動電圧が供給されており、かつ、着信処理部３１が着信処理を行っていないときであれば（ステップＳ２０３でＮｏ）、そのテレビ放送波に基づくテレビ画像の表示が画像回転部３８により９０°回転される（ステップＳ２０６）。これにより、縦長状態とされたメイン表示部２ａの長手方向を上下方向としてテレビ画像が表示され、テレビ画像の方向を回転位置に合わせることができる。【００６６】
このとき、テレビ放送波に基づくテレビ画像のアスペクト比は１６：９の横長であるのに対して、メイン表示部２ａは縦長状態であるため、テレビ画像の横幅を合わせてメイン表示部２ａに表示させた場合、メイン表示部２ａの表示画面に空スペースが生じる。この空スペースには、文字情報表示部３９によりテレビ画像に対応する字幕などの文字情報が表示される（ステップＳ２０７）。したがって、文字情報の表示を望む場合には、表示筐体２を縦長状態まで回転させるだけで文字情報を表示させることができるので、利便性をさらに向上させることができる。【００６７】
本実施の形態では、表示筐体２は一定位置に固定された回転軸を中心に回転するのではなく、表示筐体２の回転に伴って上下動する回転軸を中心に回転するような構成について説明したが、このような構成に限らず、本発明は、メイン表示部２ａに水平な面内で表示筐体２が縦長状態と横長状態との間で回転可能な構成であれば、表示筐体２が固定された回転軸を中心に回転するような携帯電話機にも適用可能である。【００６８】
また、着信処理部３１により着信処理が行われているときに表示筐体２が横長状態から縦長状態まで回転された場合にのみ、駆動電圧制御部３５が駆動電圧供給部３３による駆動電圧の供給を停止させるような構成に限らず、着信処理部３１により着信処理が行われていないときに表示筐体２が横長状態から縦長状態まで回転された場合にも、駆動電圧制御部３５が駆動電圧供給部３３による駆動電圧の供給を停止させるような構成であってもよい。この場合、ユーザが操作キー４を操作するなどして、表示筐体２を回転させる操作以外の操作でオフフック操作を行うことにより、呼出しに応答することができるようになっていてもよい。【００６９】
この出願は、日本国における２００６年３月２９日の特許出願（特願２００６−８９７０５）に基づくパリ条約による優先権を主張し、当該特許出願の全ての内容を参照してここに引用する。
【図面の簡単な説明】
【００７０】
【図１】本発明の実施の形態による携帯電話機の一例を示した斜視図であり、筐体を閉じた状態を示している。
【図２】図１の携帯電話機の筐体を展開した状態を示した斜視図である。
【図３】図２の携帯電話機の表示筐体を回転させた状態を示した斜視図であり、正面から見て図２の状態から時計回りに約４５°回転させた状態を示している。
【図４】図２の携帯電話機の表示筐体を回転させた状態を示した斜視図であり、正面から見て図２の状態から時計回りに９０°回転させた状態を示している。
【図５】図２の状態における携帯電話機の背面図であり、保持部内の構造を透視した状態で示している。
【図６】図３の状態における携帯電話機の背面図であり、保持部内の構造を透視した状態で示している。
【図７】図４の状態における携帯電話機の背面図であり、保持部内の構造を透視した状態で示している。
【図８】図２の状態におけるヒンジ部の正面図である。
【図９】図３の状態におけるヒンジ部の正面図である。
【図１０】図４の状態におけるヒンジ部の正面図である。
【図１１】この携帯電話機の電気的構成の一例を示したブロック図である。
【図１２】通信部及びテレビ放送受信部で信号を受信したときの動作について説明するためのブロック図である。
【図１３】表示筐体が縦長状態から横長状態に切り替えられたときに行われる横長状態切替処理の一例を示したフローチャートである。
【図１４】表示筐体が横長状態から縦長状態に切り替えられたときに行われる縦長状態切替処理の一例を示したフローチャートである。
【符号の説明】
【００７１】
１  携帯電話機
２  表示筐体
２ａ  メイン表示部
３  ヒンジ部
４  操作キー
５  操作筐体
７  送話用マイクロホン
８  受話用レシーバ
９  スピーカ
１０  外部入出力端子
２３  通信部
２３ａ  通信用アンテナ
２４  テレビ放送受信部
２４ａ  テレビ放送受信用アンテナ
２５  回転位置検知部
２６  外部入出力装置
３０  制御部
３１  着信処理部
３２  応答部
３３  駆動電圧供給部
３４  テレビ出力部
３５  駆動電圧制御部
３６  テレビ画像表示部
３７  テレビ音声出力部
３８  画像回転部
３９  文字情報表示部
【図１】
2007111111.tif 000003
【図２】
2007111111.tif 000004
【図３】
2007111111.tif 000005
【図４】
2007111111.tif 000006
【図５】
2007111111.tif 000007
【図６】
2007111111.tif 000008
【図７】
2007111111.tif 000009
【図８】
2007111111.tif 000010
【図９】
2007111111.tif 000011
【図１０】
2007111111.tif 000012
【図１１】
2007111111.tif 000013
【図１２】
2007111111.tif 000014
【図１３】
2007111111.tif 000015
【図１４】
2007111111.tif 000016
【国際調査報告】
2007111111.tif 000017
2007111111.tif 000018
2007111111.tif 000019